(57)【要約】  【課題】  筋交い部材の紛失を防ぎ、短時間で組み立てることが可能な筋交い付フロアディスプレイを提供する  【解決手段】  商品が載置される上面板と、上面板を支える４枚の側面板とから成る四角柱状の基部を有するフロアディスプレイであって、一端が前記四角柱内部の各稜部に固定された４枚の筋交い板と、前記側面板に切り込みを入れることにより形成される係止片と、前記係止片を係止するために各筋交い板に設けられた係止孔と、を備える組立式商品フロアディスプレイとする。側面板の係止片を押し込み、筋交い板の係止孔に係合させることにより、筋交いを基部の内部で固定する。【選択図】  図６
2005218516.tif 000002
【特許請求の範囲】
【請求項１】
商品が載置される上面板と、上面板を支える４枚の側面板とから成る四角柱状の基部を有するフロアディスプレイであって、
一端が前記四角柱内部の各稜部に固定された４枚の筋交い板と、
前記側面板に切り込みを入れることにより形成される係止片と、
前記係止片を係止するために各筋交い板に設けられた係止孔と、
を備えることを特徴とする筋交い付組立式フロアディスプレイ。
【請求項２】
側面板の両側に前記筋交い板が連結して形成される筋交い付側面板２枚を対向させ、
他の２枚の側面板（単純側面板）により両筋交い付側面板を固定して前記四角柱状基部を形成し、
各単純側面板に、両側の筋交い板の係止孔に係止する１片の前記係止片を設け、
基部の上部に上面板を固定する、
ことにより形成されることを特徴とする請求項１に記載の筋交い付組立式フロアディスプレイ。
【発明の詳細な説明】
【技術分野】
【０００１】
本発明は、重量のある商品を陳列するための組立式のフロアディスプレイに関する。
【背景技術】
【０００２】
店頭においては、新しく発売された商品や、販売を強化したい商品等は、フロアディスプレイを用いて、他の類似商品から区別した状態で陳列が行われることが多い。
このようなフロアディスプレイのうち、重量のある商品を陳列するためのものには、通常、図１のように、フロアディスプレイ１０の商品を載置する台の下側に、本体とは別個に筋交い等の支持用部材１１が設けられている（特許文献１参照）。
【０００３】
【特許文献１】特開2000-83777号公報
【発明の開示】
【発明が解決しようとする課題】
【０００４】
従来の、重量のある商品を陳列するためのフロアディスプレイは、上記のように、筋交い等の支持用部材が本体とは別個に設けられていた。
しかし、店頭において別個独立した部材から成るフロアディスプレイは、移動する際等に各部材がばらばらになり、部材の一部を紛失する等の問題があった。また、組立工程が複雑になり、組立に時間を要するという問題があった。
【０００５】
本発明はこのような問題に鑑みて成されたものであって、その目的とするところは、移動する際等にも部材の一部を紛失する恐れがなく、また、短時間で組立を行うことが可能なフロアディスプレイを提供することにある。
【課題を解決するための手段】
【０００６】
上記課題を解決するために成された本発明に係る組立式フロアディスプレイは、商品が載置される上面板と、上面板を支える４枚の側面板とから成る四角柱状の基部を有するフロアディスプレイであって、
一端が前記四角柱内部の各稜部に固定された４枚の筋交い板と、
前記側面板に切り込みを入れることにより形成される係止片と、
前記係止片を係止するために各筋交い板に設けられた係止孔と、
を備えることを特徴とする。
【０００７】
本発明に係る組立式フロアディスプレイでは、四角柱内部の稜部に固定された筋交い板の係止孔に、側面板に設けられた係止片が係止される。これにより、上面板と、４枚の側面板とから成る四角柱状の基部内部の所定の位置に各筋交い板が固定され、筋交いが形成されることとなる。
【０００８】
筋交い板は、いずれかの側面板と連結させてもよいし、別個独立した部材としてもよい。筋交い板を側面板と連結させた場合は、側面板との連結部分で折り曲げることにより、結果として筋交い板が各稜部に固定された状態になる。筋交い板を別個独立した部材とした場合は、テープや接着剤等の固定手段により基部内部の各稜部に固定する。フロアディスプレイの組立の容易性を考慮すると、筋交い板を側面板と連結させるのが望ましい。
また、筋交い板の稜部に垂直な方向の長さは、筋交いが形成された際に筋交い板が基部の内部で互いに交錯することがないように、四角柱の断面の対角線の1/2よりも短くすることが望ましい。
【０００９】
係止片の形状や側面板における位置は、筋交い板を固定可能なものであれば、どのようなものでも構わない。また、係止片の数や、どの側面板に係止片を設けるかについても特に問うものではない。例えば、対向する２枚の側面板にそれぞれ１片ずつ係止片を設け、１片の係止片により２枚の筋交い板を固定するようにしてもよいし、それぞれの側面板に係止片を１片ずつ設け、４枚の係止片でそれぞれ対応する筋交い板を固定するようにしてもよい。また、１枚の筋交い板を複数の係止片で固定するようにしてもよい。
【００１０】
係止孔の形状やその位置、数は、係止片の形状や位置、数に合わせて適宜設定する。
【００１１】
以上のような基本的構成を有するフロアディスプレイの具体的構成例としては、例えば、両側に筋交い板が連結した筋交い付側面板２枚と、単純側面板２枚から成る４枚の側面板と、上面板を有するものを挙げることができる。単純側面板の方に切り込みを入れることにより、２枚の単純側面板のそれぞれに１片の係止片を形成し、各係止片で両側の２枚の筋交い板を係止する。
【００１２】
このフロアディスプレイは、次のように組み立てられる。筋交い板部分を折り曲げた２枚の筋交い付側面板を対向させ、単純側面板によりこれらを固定して、四角柱状基部を形成する。このように側面板を固定することにより、基部内部の各稜部に、４枚の筋交い板が固定されることとなる。
筋交い板付き側面板の固定方法としては、筋交い板の側部を単純側面板に固定する方法（図２）や、単純側面板の両側に固定代を設け、この固定代を筋交い付側面板の側面板部分又は筋交い板の側部に固定する方法（図３）、単純側面板の固定代を筋交い板の側部に固定する方法（図４）等が挙げられる。筋交い板の固定手段は特に問うものではなく、接着剤やテープ等の一般的な手段を用いることができる。
【００１３】
側面板に設けた係止片を基部の内側に折り曲げ、各筋交い板の係止孔にはめ込むことにより、各筋交い板の位置を基部の内部で固定する。これにより、４枚の筋交い板は四角柱状基部において筋交いとして機能することとなる。
【００１４】
上面板は、以上のようにして組み立てられる基部の上部に載置又は固定する。上面板を固定する際の固定手段は特に問うものではなく、上面板の端部を側面板の上端部にテープ等で固定してもよいし、上面板に固定代を設けて、側面板の上端部に接着剤等で固定してもよい。更には、上面板の端部を側面板の上端部に折り曲げ線を介して連結させてもよい。
【発明の効果】
【００１５】
本発明に係る筋交い付フロアディスプレイは、筋交い板がフロアディスプレイ本体に固定されているため、フロアディスプレイの移動の際にも筋交いがバラバラになることがない。このため、従来の筋交い付フロアディスプレイで問題となっていた、部材の紛失等の問題が解消される。
また、側面板の係止片を押し込むだけで各筋交い板が基部内部に押し込まれ、そこで固定されるため、簡単且つ短時間で組み立てを行うことができる。
このようにして基部内部で筋交いが固定された後は、上面板は４枚の側面板と４枚の筋交いにより支えられる。このため、上面板に重い商品を載置しても、上面板が下方に沈むことはない。
【発明を実施するための最良の形態】
【００１６】
（実施例１）
図５は、本発明に係る組立式フロアディスプレイの一実施例の構成部材図である。本実施例のフロアディスプレイ２０は、２枚の筋交い付側面板２１と、他の２枚の側面板（単純側面板）２２と、１枚の上面板２３から成る。筋交い付側面板２１には、その両側に筋交い板２４が連結して形成されている。筋交い付側面板２１の中央部（側面板部分）と両側の筋交い板２４との間には、それぞれ固定代部２５が設けられている。各筋交い板２４にはそれぞれ１個の横長の係止孔２６が設けられており、単純側面板２２の、係止孔２６に対応する高さの位置には、係止孔２６に係止可能な係止片２７が設けられている。係止片２７は、単純側面板２２の面に切り込みを入れることにより形成されている。
【００１７】
本実施例のフロアディスプレイ２０は、次のように組み立てられる。まず、各筋交い付側面板２１を固定代部２５の両側の線で折り曲げ、固定代部２５が突出するようにする。次に、２枚の筋交い付側面板２１を対向させ、２枚の単純側面板２２を固定代部２５に固定することにより、四角柱状の基部を形成する。そして、各単純側面板２２に設けられた係止片２７をそれぞれ基部の内側に折り曲げ、そのコーナー部を筋交い板２４の係止孔２６に嵌め込む。本実施例のフロアディスプレイ２０では、１片の係止片２７を折り曲げることにより、２枚の筋交い板２４が同時に固定されることになる。従って、図６に示すように、４枚の筋交い板２４が２片の係止片２７で固定される。なお、図６は、フロアディスプレイ２０を下方から見た様子を表した図である。
次に、上面板２３をその固定代２８でいずれかの側面板２１（又は２２）の上端部に固定する。これにより、図７に示されるフロアディスプレイ２０が完成する。
なお、各板の固定はステープラーや粘着テープ等を用いて行ってもよいが、故紙回収及び環境保護の点からは、環境を侵襲しない接着剤を用いることが望ましい。
【００１８】
（実施例２）
図８は、本発明に係る組立式フロアディスプレイの別の実施例の構成部材図である。本実施例のフロアディスプレイ３０は、２枚の筋交い付側面板３１ａ，３１ｂと、２枚の単純側面板３２から成る。一方の筋交い付側面板３１ａには、上面板３３が連結されている。実施例１と同様、筋交い付側面板３１ａ，３１ｂの両側には固定代３５を介して筋交い板３４がそれぞれ設けられており、各筋交い板３４にはそれぞれ１個の縦長の係止孔３６が設けられている。また、２枚の単純側面板３２にはそれぞれ切り込みにより、中央側をヒンジとして内部に落ち込む２片の係止片３７が設けられている。係止片３７の位置は筋交い板３４の係止孔３６と対応している。各係止片３７の先端は半円形となっており、係止孔３６の長さは、係止片３７の幅（縦方向の長さ）よりもやや短くなっている。
【００１９】
本実施例のフロアディスプレイ３０は、実施例１のフロアディスプレイ２０と同様にして組み立てられる。ただし、本実施例のフロアディスプレイ３０では、４個の係止片３７をそれぞれ押し込む必要があるが、各係止片３７が小さいため、側面板３２が上下の圧縮力に強いという特長を有する。なお、側面板３２から係止片３７を押し込んだとき、係止片３７はその半円状の先端部で筋交い板３４の係止孔３６に係合し、４枚の筋交い板３４を固定する。図９に、組立後の本実施例のフロアディスプレイ３０を示す。
【００２０】
（実施例３）
図１０は本発明に係るフロアディスプレイの別の実施例の構成部材図である。本実施例のフロアディスプレイ４０は、２枚の筋交い付側面板４１ａ，４１ｂと、２枚の単純側面板４２から成る。２枚の筋交い付側面板４１ａ，４１ｂの両側にはそれぞれ固定代４５を介して筋交い板４４が設けられ、各筋交い板４４には１個の横長の係止孔４６が設けられている。また、２枚の単純側面板４２にはそれぞれ１片の横長の係止片４７が切り込みにより形成されている。一方の筋交い付側面板４１ａには上面板４３が連結されている。上面板４３の両側部には、折り曲げ線を介して補強板４３ａが設けられている。組立の際は、補強板４３ａは１８０°折り曲げられ、上面板４３の裏側に固定される。このように補強板４３ａを設けることにより、より重い商品をフロアディスプレイ４０に載置することが可能になる。
【００２１】
（実施例４）
図１１は本発明に係るフロアディスプレイの別の実施例の構成部材図である。本実施例のフロアディスプレイ５０は、基本的には実施例３のフロアディスプレイ４０と同様の構造を有しており、２枚の筋交い付側面板５１ａ，５１ｂ、単純側面板５２、筋交い板５４、固定代５５、係止孔５６、係止片５７及び上面板５３は、それぞれ実施例３のフロアディスプレイ４０の対応する部材と同様である。
本実施例のフロアディスプレイ５０では、上面板５３が設けられていない方の筋交い付側面板５１ｂの側面板部分の上部に、背板部５９が設けられている。背板部５９の下方には、上面板５３を挿入するための横長の孔５９ａが設けられている。また、２枚の単純側面板５２の上部には、それぞれ側板部５２ａが設けられている。背板部５９や側板部５２ａは任意の形状とすることができ、これらの領域に商品名や宣伝等を印刷することも可能である。
図１２に、組立て後の本実施例のフロアディスプレイ５０の概略構成図（前方斜視図）を示す。このように背板部５９及び側板部５２ａを設けることにより、フロアディスプレイ５０から商品が落下するのを防ぐことができる。なお、図１３に示すように、上面板５３は、その先端を背板部５９の横長の孔５９ａに差し込むことにより、固定される。
【００２２】
（実施例５）
図１４は、実施例４の組立式フロアディスプレイの変形例の構成部材図である。本変形例のフロアディスプレイ６０は、基本的には実施例４のフロアディスプレイ５０と同様の構造を有しており、２枚の筋交い付側面板６１ａ，６１ｂ、単純側面板６２、筋交い板６４、固定代６５、係止孔６６、係止片６７、上面板６３、背板部６９及び側板部６２ａは、実施例４のフロアディスプレイ５０の対応する部材と同様である。また、実施例３のディスプレイ４０と同様、上面板６３の両側部には、折り曲げ線を介して補強板６３ａが設けられている。
本変形例のフロアディスプレイ６０の背板部６９の上方には、水平方向の折り曲げ線を介して補強領域６９ｂが設けられている。また、側板部６２ａにも、斜め方向の折り曲げ線を介して補強領域６２ｂが設けられている。更に、側板部６２ａの上部６２ｃ、６２ｄも、それぞれ折り返し補強領域６２ｅ、６２ｆ、６２ｇにより補強されている。
組立の際には、補強領域６９ｂ及び６２ｂ，６２ｅ〜６２ｇを背板部６９及び側板部６２ａ，６２ｃ，６２ｄの裏側に折り返して固定し、背板部６９及び側板部６２ａ，６２ｃ，６２ｄを強化する。
【図面の簡単な説明】
【００２３】
【図１】従来の筋交い付商品フロアディスプレイの概略構成図。
【図２】２枚の筋交い付側面板の固定代に単純側面板を固定した様子を表した図。
【図３】単純側面板の固定代に筋交い付側面板の側面板部分を固定した様子を表した図。
【図４】単純側面板の固定代に筋交い板の側部を固定した様子を表した図。
【図５】実施例１の組立式フロアディスプレイの構成部材図。
【図６】実施例１のフロアディスプレイを下面から見た図。
【図７】実施例１のフロアディスプレイの斜視図。
【図８】実施例２の組立式フロアディスプレイの構成部材図。
【図９】実施例２のフロアディスプレイの斜視図。
【図１０】実施例３の組立式フロアディスプレイの構成部材図。
【図１１】実施例４の組立式フロアディスプレイの構成部材図。
【図１２】実施例４のフロアディスプレイの前方斜視図。
【図１３】実施例４のフロアディスプレイの前方及び後方俯瞰図。
【図１４】実施例５の組立式フロアディスプレイの構成部材図。
【符号の説明】
【００２４】
２０，３０、４０，５０，６０…フロアディスプレイ
２１，３１ａ，３１ｂ，４１ａ，４１ｂ，５１ａ，５１ｂ，６１ａ，６１ｂ…筋交い付側面板
２２，３２，４２，５２，６２…単純側面板
２３，３３，４３，５３，６３…上面板
２４，３４，４４，５４，６４…筋交い板
２５，３５，４５，５５，６５…固定代
２６，３６，４６，５６，６６…係止孔
２７，３７，４７，５７，６７…係止片
【図１】
2005218516.tif 000003
【図２】
2005218516.tif 000004
【図３】
2005218516.tif 000005
【図４】
2005218516.tif 000006
【図５】
2005218516.tif 000007
【図６】
2005218516.tif 000008
【図７】
2005218516.tif 000009
【図８】
2005218516.tif 000010
【図９】
2005218516.tif 000011
【図１０】
2005218516.tif 000012
【図１１】
2005218516.tif 000013
【図１２】
2005218516.tif 000014
【図１３】
2005218516.tif 000015
【図１４】
2005218516.tif 000016